(57)【要約】【課題】  ガス発生剤の質量合わせが容易なガス発生剤成形体の提供。【解決手段】  ガス発生剤成形体１は、燃料、酸化剤及びバインダ等を含むガス発生剤組成物が圧伸成型された紐状体２が芯材の周囲に巻かれた状態で一体にされた後、芯材から外されたものである。長さ方向に貫通孔を有する円柱状のものが好ましい。紐状体２は、長さ当たりの質量が一定であるから、巻き付け長さにより、ガス発生剤の質量合わせが容易になる。【選択図】  図１
2007308352.tif 000002
【特許請求の範囲】
【請求項１】
少なくとも燃料、酸化剤及びバインダを含むガス発生剤組成物が圧伸成型された紐状体からなり、前記紐状体が巻かれた状態で一体になったものである、ガス発生剤成形体。
【請求項２】
長さ方向に貫通孔を有する円柱状のものである、請求項１記載のガス発生剤成形体。
【請求項３】
少なくとも燃料、酸化剤及びバインダを含むガス発生剤を圧伸成型して紐状体を製造する工程、
芯材の周囲に前記紐状体を巻き取る工程、
前記芯材を取り除く工程、
を有するガス発生剤成形体の製造方法。
【請求項４】
ガス発生源として請求項１又は２記載のガス発生剤成形体を用いた、車両の人員拘束装置用ガス発生器。
【請求項５】
伝火薬として請求項１又は２記載のガス発生剤成形体を用いた、車両の人員拘束装置用ガス発生器。
【請求項６】
ガス発生源として請求項１又は２記載のガス発生剤成形体と加圧ガスを併用した、車両の人員拘束装置用ガス発生器。
【発明の詳細な説明】
【技術分野】
【０００１】
本発明は、ガス発生剤成形体、その製造方法、前記ガス発生剤成形体を用いた車両の人員拘束装置用ガス発生器に関する。
【背景技術】
【０００２】
固形ガス発生剤を使用するガス発生器では、振動によるガス発生剤の粉砕や組立時のガス発生剤充填量（秤量）の誤差をできるだけ抑え、出力のばらつきを抑制する必要がある。通常、固形ガス発生剤は、燃焼表面積を大きくする目的で小径の粒状やペレット形状に成型したものを多数使用するため、充填誤差を少なくできるが、反面、充填後の振動による異音の原因になりやすい。
【０００３】
この課題を解決するために、塊状のガス発生剤を１つ或は少数使用することが考えられるが、塊状のガス発生剤では、成型寸法のわずかな相違が充填量の誤差になり、出力のばらつきとなって現れやすい。
【０００４】
特許文献１では、中央筒３２に線状のガス発生剤４０をコイル状に、かつ、隣り合う層で交互に交叉するようにヘリカルに巻回させたものを用いたガス発生器が開示されている。線状のガス発生剤４０は、ガス発生剤スラリーと糸状物体（アルミニウム、マグネシウム、鉄、銅等）をノズルから射出した後、重合・硬化させて得られる可撓性を有するものである。
【特許文献１】特開平９−５８３９５号公報
【発明の開示】
【発明が解決しようとする課題】
【０００５】
上記した方法で得られる可撓性の線状ガス発生剤は、糸状物体の周囲に均一厚さにスラリー状のガス発生剤を付着させることが難しく、厚さにむらが生じるほか、燃焼ガス源とならない糸状物体がそのまま残存する。
【０００６】
よって、このような線状ガス発生剤４０を中央筒３２に巻き付けたとき、所要量のガス発生剤（燃料、酸化剤及びバインダ等の組み合わせからなるもので、糸状物体は含まれない。）を安定して充填することが難しくなり、巻き終わったときに表面が凸凹になりやすいため、ガス発生器の作動時の出力にもばらつきが生じる。また、糸状物体の分だけガス発生剤の充填量が少なくなる。
【０００７】
本発明は、ガス発生剤の質量合わせが容易にでき、設計通りの出力を発揮できるガス発生剤成形体、その製造方法、前記ガス発生剤成形体を用いたガス発生器を提供することを課題とする。
【課題を解決するための手段】
【０００８】
〔請求項１〕
本発明は、課題の解決手段として、少なくとも燃料、酸化剤及びバインダを含むガス発生剤組成物が圧伸成型された紐状体からなり、前記紐状体が巻かれた状態で一体になったものである、ガス発生剤成形体を提供する。
【０００９】
本発明のガス発生剤成形体は、紐状体が巻かれた状態にて一体化され、一定形状を有するものである。本発明のガス発生剤成形体の外形は特に制限されるものはなく、円柱状、角柱状、ディスク状、球状、円錐状、角錐状等にすることができ、必要に応じて、貫通孔や窪みを有するものでもよい。本発明では、長さ方向に１つの貫通孔を有する円柱状のガス発生剤成形体が好ましい。
【００１０】
紐状体は、１本でもよいし、２本以上を用いてもよい。２本以上を用いるときは、複数本の紐状体を撚って１本の複合紐状体にしたものを用いてもよい。紐状体の巻き方は特に制限されず、同一方向に巻かれていてもよいし、複数の異なる方向に巻かれていてもよい。
【００１１】
紐状体は、少なくとも燃料、酸化剤及びバインダを含むガス発生剤組成物が圧伸成型されたものであり、幅方向の断面は円形が好ましいが、これに限定されるものではない。ガス発生剤組成物は公知のもので、前記成分以外にも公知の各種添加剤を含有していてもよい。なお、本発明のガス発生剤組成物及びガス発生剤成形体には、特許文献１に記載のような芯材となる糸状物体は含まれない。
【００１２】
圧伸成型は周知の方法であり、具体的には、燃料、酸化剤、バインダ等を含むガス発生剤組成物を乾式混合した後、水を加え十分に混合し、金型を備えた圧伸成型機を用いて成形する方法である。
【００１３】
〔請求項３〕
本発明は、他の課題の解決手段として、
少なくとも燃料、酸化剤及びバインダを含むガス発生剤を圧伸成型して紐状体を製造する工程、
芯材の周囲に前記紐状体を巻き取る工程、
前記芯材を取り除く工程、
を有するガス発生剤成形体の製造方法を提供する。
【００１４】
圧伸成型して紐状体を得る工程は、金型を備えた圧伸成型機を用いた公知の方法であり、例えば、特開平１０−８７３９０号公報等に記載されている。
【００１５】
得られた紐状体の外径は均一であるから、長さ当たりの質量（mg／mm）も一定している。なお、圧伸成型して紐状体を得る工程の後、必要に応じて複数本の紐状体を撚って１本の複合紐状体にする工程を設けてもよい。
【００１６】
芯材の周囲に前記紐状体を巻き取る工程は、例えば、回転自在に支持された芯材を有する巻き取り装置を用意して、前記芯材の一端部に紐状体の一端を固定した状態にて、前記芯材を回転させることで紐状体を巻き取る方法を適用できる。紐状体は１本でもよいし、複数本を用いてもよい。このとき、ガス発生剤成形体の質量を所定量にするため、所定長さ（即ち、所定量）を巻き取る方法、巻き取り装置に質量検知センサーを取り付けておき、所定量になった時点で巻き取りを終了する方法等を適用できる。
【００１７】
芯材は、円柱状、角柱状等の所望形状のものを用いることができるが、円柱状の芯材が好ましい。芯材は次工程で取り除く（或いは巻き取られたガス発生剤成形体を芯材から取り出す）ものであるため材質は特に制限されず、金属、合成樹脂、木材、紙等からなるものを用いることができる。また、芯材は、紐状体を巻き付けやすいように表面を粗くしたものでもよいし、予め紐状体を巻き付けるための溝が形成されたものでもよい。
【００１８】
本発明の製造方法を適用した場合、ガス発生剤成形体には芯材が外されたことによる貫通孔が形成される。貫通孔が形成されたものは燃焼面積が大きくなるので着火燃焼性が向上される点で好ましいが、充填効率をより高めるため、貫通孔内に粉末状乃至はペレット状のガス発生剤組成物を充填する等して、貫通孔がない形状のものにしてもよい。
【００１９】
本発明の製造方法では、ガス発生剤成形体の質量合わせが容易になり、所望量のガス発生剤を含む成形体を得ることができる。また、紐状体の外径が均一であるため、ガス発生剤成形体の外表面も滑らかで、燃焼室等に収容し易い。
【００２０】
〔請求項４−６〕
本発明は、別の課題の解決手段として、
ガス発生源として請求項１又は２記載のガス発生剤成形体を用いた、車両の人員拘束装置用ガス発生器、
伝火薬として請求項１又は２記載のガス発生剤成形体を用いた、車両の人員拘束装置用ガス発生器、及び
ガス発生源として請求項１又は２記載のガス発生剤成形体と加圧ガスを併用した、車両の人員拘束装置用ガス発生器、を提供する。
【００２１】
本発明のガス発生剤成形体を用いたガス発生器は、所要量のガス発生剤成形体を充填することができるため、安定した出力が発揮できる。ガス発生剤成形体は１つでよいが、２〜４個程度を用いてもよい。２〜４個程度のガス発生剤成形体を用いる場合、各成形体の向きを揃えて配置し、互いに当接させて１つの塊を形成するように配置することが好ましい。
【発明の効果】
【００２２】
本発明のガス発生剤成形体は、特許文献１の発明のような芯材を含んでおらず、紐状体が均一径を有するものであるため、質量合わせが容易であり、ガス発生器に使用したときの出力調整も容易である。
【発明を実施するための最良の形態】
【００２３】
（１）ガス発生剤成形体
図１は、ガス発生剤成形体の斜視図（但し、紐状体２の表示は一部を略している）、図２は、ガス発生剤成形体の製造方法に使用する巻き取り装置の概略図及び前記製造方法の説明図である。
【００２４】
図１に示すガス発生剤成形体１は、紐状体２が巻かれて一体にされたものであり、円柱状で、中心部に長さ方向への１つの貫通孔３を有している。
【００２５】
紐状体２は、燃料、酸化剤及びバインダ等を含むガス発生剤組成物を用い、公知の圧伸成型法により成形されたものであり、本実施形態では、直径が約０．５〜５．０ｍｍのものを用いている。
【００２６】
本発明で用いるガス発生剤組成物は特に制限されず、公知のものを用いることができ、例えば、特開２００５−１９９８６７号公報、特開２００５−１５４１６７号公報、特開２００５−１２６２６２号公報、特開２００５−１１９９２６号公報、特開２００５−１４５７１８号公報、特開２００４−１５５６４５号公報等に記載のものを用いることができる。
【００２７】
ガス発生剤成形体１の寸法は、適用するガス発生器に応じて決定されるものであるが、例えば、高さが約１０〜２００ｍｍで、直径が約１０〜１００ｍｍにすることができる。なお、貫通孔３は、製造時に用いた芯材を外すことで形成されたものであるから、芯材の直径と同じ直径を有することになる。
【００２８】
（２）ガス発生剤成形体の製造方法
最初の工程にて、圧伸成型機を用い、圧伸成型して紐状体２を得る。この工程では、燃料、酸化剤及びバインダを含むガス発生剤１００質量部に対して１０〜３０質量部程度の水を加え、均一になるように混合した後、ガス発生剤組成物の成分組成により、４０００〜１４，０００kPaから選ばれる加圧条件下で圧伸成型して、紐状体２を得ることができる。圧伸は連続して行い、得られる紐状体２も切れ目のない連続したものである。
【００２９】
次工程にて、芯材６の周囲に前記紐状体２を巻き取る。本工程では、例えば、図２に示すような、芯材６と２つのガイド部材７、８を有する巻き取り装置５を用いることができる。
【００３０】
２つのガイド部材７、８は、芯材６と共に軸方向に移動自在となっており、ガイド部材７、８の間隔は、得ようとするガス発生剤成形体１の高さに合わせた状態にて固定しておく。
【００３１】
芯材６は、一端又は両端が図示していない駆動装置に接続されており、軸方向（Ｘ方向及びＹ方向の両方）に移動自在であり、かつ周方向に回転自在である。芯材６は、ステンレス製のものであり、直径及び長さは特に制限されない。
【００３２】
圧伸成型して得た紐状体２の一端部は、芯材６の一端側（ガイド部材７側）に固定し、その途中で紐状体２が弛まないように軽く張力をかける。例えば、芯材６までの途中にローラーを配置して、前記ローラーにより、紐状体２を支持したり、張力を加えたりする。紐状体２の他端側を少し引っ張った状態にて維持しておく。そして、芯材６を周方向に回転させながら、かつＸ方向に移動させながら、ガイド８方向に紐状体２を巻き取っていく。紐状体２の巻き始めの一端部の固定は、例えば、ごく少量の有機系接着剤にて固定する方法、芯材６に紐状体２を固定するための孔等を設けておき、前記孔に差し込んで固定する方法を適用する。
【００３３】
紐状体２は、ガイド８まで巻き取った後、そこで巻き取りを終了してもよいし、今度は芯材６をＹ方向に移動させながら巻き取りを継続して、再度ガイド７まで巻き取って終了してもよいし、同様にして巻き取りを繰り返して、芯材６の周囲に二重、三重に巻き取ってもよい。
【００３４】
紐状体２の巻き取りは、巻き取り装置５に取り付けた質量センサーにより、紐状体２が所定量になった時点で終了し、紐状体２を切断して芯材６から外し、ガス発生剤成形体１を得る。なお、紐状体２の切断端部は、有機系接着剤等で固定する。
【００３５】
このような製造方法を適用することで、ガス発生剤成形体１の質量を所望量に調整することができ、外表面の凹凸の形成が抑制される。このため、ガス発生剤成形体１を用いたインフレータは、設計どおりの出力を発揮することができる。
【００３６】
（３）図３のシングル型パイロインフレータ
図３は、点火器が１つで、燃焼室が１つのシングル型パイロインフレータ（火工式ガス発生器）１０Ａの縦断面図である。パイロインフレータ１０Ａは、本発明のガス発生剤成形体１を用いた以外、構造自体は公知のもの（例えば、特開平１０−１８１５１６号公報の図１に類似したもの）である。
【００３７】
パイロインフレータ１０Ａは、ディフューザシェル１１とクロージャシェル１２が溶接一体化されたハウジング１３により外殻が形成されている。ディフューザシェル１１は複数のガス排出口１４を有し、ガス排出口１４は、アルミニウムやステンレスからなる粘着テープ１５で内側から閉塞されている。
【００３８】
ハウジング１３内の中央部には、伝火孔１７を有する内筒部材１６が配置されており、内筒部材１６内には、電気式点火器２０とアルミニウム製の容器に充填された伝火薬２１が収容されている。
【００３９】
ハウジング１３内には、ガス排出口１４及び粘着テープ１５との間に筒状の間隙が形成されるようにして、燃焼ガスを濾過及び冷却する機能を有する筒状のクーラント・フィルタ２４が配置されている。
【００４０】
ハウジング１３内の内筒部材１６とクーラント・フィルタ２４で挟まれた空間が燃焼室２５となり、図１で示す形状のガス発生剤成形体１が収容されている。ガス発生剤成形体１は、上面４ａと下面４ｂが、それぞれ第１リテーナ２２と第２リテーナ２３で支持固定され、外周面４ｃがクーラント・フィルタ２４の内周面と対向配置され、貫通孔３の内周面が内筒部材１６の外周面と対向している。
【００４１】
ガス発生剤成形体１は、下記組成からなるガス発生剤組成物が圧伸成型された直径２ｍｍの紐状体からなるものであり、外径５０ｍｍ、内径（Ｄ１で示される貫通孔３の直径）２２ｍｍ、高さ３２ｍｍで、質量が約３８ｇのものである。
【００４２】
（ガス発生剤組成物）
硝酸グアニジン４１．３質量％
塩基性硝酸銅４８．７質量％
水酸化アルミニウム５．０質量％
カルボキシメチルセルロースナトリウム塩５．０質量％
図３に示すパイロインフレータ１０Ａを自動車のエアバッグシステムで用いたときの動作を説明する。自動車が衝突したとき、衝撃センサからの指令を受け、点火器２０が作動して、伝火薬２１が着火燃焼して火炎や高温ガス等が発生する。火炎等は伝火孔１７を通って燃焼室内に流入して、ガス発生剤成形体１を着火燃焼させる。ガス発生剤成形体１の着火燃焼により発生したガスは、クーラント・フィルタ２４を通り、粘着テープ１５を破壊した後、ガス排出口１４から排出され、エアバッグを膨張させる。
【００４３】
（４）図４のデュアル型パイロインフレータ
図４は、点火器が２つで、燃焼室が２つのデュアル型パイロインフレータ（火工式ガス発生器）１０Ｂの縦断面図である。パイロインフレータ１０Ｂは、本発明のガス発生剤成形体１を伝火薬として用いた以外、構造自体は公知のもの（例えば、特開２００１−２２５７１１号公報の図１のガス発生器と類似した構造）である。なお、図３と同一番号は、同一の構成部品であることを意味する。
【００４４】
パイロインフレータ１０Ｂは、第１燃焼室２５ａと、ハウジング１３内に配置されたカップ部材３０で囲まれた第２燃焼室２５ｂを有しており、それぞれ第１点火器２０ａと第２点火器２０ｂが収容されている。第１燃焼室２５ａと第２燃焼室２５ｂには、それぞれ図示されていない第１ガス発生剤と第２ガス発生剤が収容されている。これらのガス発生剤は公知のガス発生剤（例えば、ペレット状）であるが、本発明のガス発生剤成形体と同じものを用いてもよい。
【００４５】
第１燃焼室２５ａに配置された第１点火器２０ａの点火部を含む部分は伝火室カップ３１で覆われており、内部に図１で示すガス発生剤成形体１からなる伝火薬が収容されている。伝火室カップ３１はリテーナ３５で固定されている。
【００４６】
ガス発生剤成形体（伝火薬）１は、下記組成からなるガス発生剤組成物が圧伸成型された直径１ｍｍの紐状体からなるものであり、外径１３ｍｍ、内径２ｍｍ、高さ１１ｍｍで、質量が約１．１ｇのものである。
【００４７】
（ガス発生剤組成物）
ニトログアニジン  ３８．７７質量％
過塩素酸カリウム  ３５．１６質量％
硝酸ストロンチウム  １５．０７質量％
酸性白土  １．００質量％
カルボキシメチルセルロースナトリウム塩  １０．００質量％
図４に示すパイロインフレータ１０Ｂを自動車のエアバッグシステムで用いたときの一部動作を説明する。自動車が衝突したとき、衝撃センサからの指令を受け、点火器２０ａが作動して、ガス発生剤成形体（伝火薬）１が着火燃焼して火炎や高温ガスが発生する。この火炎や高温ガスにより伝火室カップ３１が破壊され、第１燃焼室２５ａ内の第１ガス発生剤が着火燃焼されてガスが発生する。発生したガスはクーラント・フィルタ２４を通り、粘着テープ１５を破壊した後、ガス排出口１４から排出され、エアバッグを膨張させる。
【００４８】
本実施形態では、ガス発生剤成形体（伝火薬）１は、第１ガス発生剤を着火燃焼させるための伝火薬として作用するものであるが、ガス発生剤成形体（伝火薬）１の燃焼により発生した高温ガス自体もエアバッグの膨張に利用される。
【００４９】
（５）図５のシングル型パイロインフレータ
図５は、点火器が１つで、燃焼室が１つのシングル型パイロインフレータ（火工式ガス発生器）１０Ｃの縦断面図である。パイロインフレータ１０Ｃは、本発明のガス発生剤成形体１を伝火薬として用いた以外、構造自体は公知のものであり、図３のインフレータ１０Ａとほぼ同一構造のものである。なお、図３と同一番号は、同一の構成部品であることを意味する。
【００５０】
内筒部材１６内には、点火器２０が収容固定されており、伝火薬として図１に示すようなガス発生剤成形体１が収容されている。本実施形態では、ガス発生剤成形体（伝火薬）１は、ガス発生剤を着火燃焼させるための伝火薬として作用するものであるが、ガス発生剤成形体（伝火薬）１の燃焼により発生した高温ガス自体もエアバッグの膨張に利用される。
【００５１】
ガス発生剤成形体１は、下記組成からなるガス発生剤組成物が圧伸成型された直径１ｍｍの紐状体からなるものであり、外径１５ｍｍ、内径２ｍｍ、高さ１３ｍｍで、質量が約１．７ｇのものである。燃焼室２５に充填されたガス発生剤は、公知のガス発生剤成形体（例えば、ニトログアニジン３１．５質量％、硝酸ストロンチウム５１．５質量％、カルボキシメチルセルロースナトリウム塩１０．０質量％、酸性白土７．０質量％からなるペレット状のもの）を多数充填したものであるが、本発明のガス発生剤成形体と同じものを用いてもよい。
【００５２】
（ガス発生剤組成物）
ニトログアニジン３８．７７質量％
過塩素酸カリウム３５．１６質量％
硝酸ストロンチウム１５．０７質量％
酸性白土１．００質量％
カルボキシメチルセルロースナトリウム塩１０．００質量％
（６）図６のハイブリッドインフレータ
図６は、ガス源としてアルゴン等の加圧ガスと本発明のガス発生剤成形体を用いたハイブリッドインフレータ１００の縦断面図である。ハイブリッドインフレータ１００は、本発明のガス発生剤成形体を用いた以外は公知の構造のもの（例えば、特開２００５−２４７２８９号公報の図１に類似のもの）である。
【００５３】
ハイブリッドインフレータ１００は、筒状の加圧ガスハウジング１０１の一端側開口部に燃焼室ハウジング１１１が接続固定され、他端側開口部にガス排出口１０５を有するディフューザ部１０３が接続固定されている。それぞれの接続部は、第１破裂板１１４と第２破裂板１０４で閉塞されている。
【００５４】
加圧ガス室１０２内には、アルゴン、ヘリウム等の不活性ガスが高圧充填（３０，０００〜６７，０００ｋＰａ）されている。
【００５５】
燃焼室ハウジング１１１内は燃焼室１１２となっており、端部には電気式点火器１１３が収容固定され、残りの燃焼室１１２内には、図１で示すようなガス発生剤成形体１が収容されている。
【００５６】
図６に示すハイブリッドインフレータ１００を自動車のエアバッグシステムで用いたときの動作を説明する。自動車が衝突したとき、衝撃センサからの指令を受け、点火器１１３が作動して、ガス発生剤成形体１が着火燃焼してガスを発生する。そして、発生したガスにより、燃焼室１１２内の圧力が上昇して、第１破裂板１１４が破壊され、高温ガスが加圧ガス室１０２内に流入する。その結果、加圧ガス室１０２の圧力が上昇して、第２破裂板１０４が破壊され、ガス排出口１０５からガスが排出され、エアバッグを膨張させる。
【実施例】
【００５７】
実施例１
硝酸グアニジン４１．３質量％、塩基性硝酸銅４８．７質量％、水酸化アルミニウム５．０質量％、カルボキシメチルセルロースナトリウム塩５．０質量％を乾式混合したガス発生剤組成物１００質量部に対して、２０質量部の水を加えたものを用い、圧伸成型機を用いて、直径２ｍｍの紐状体を製造した。
【００５８】
次に、図２で示す巻き取り装置を用意し、直径２２ｍｍ、ガイド部材７，８間の幅３２ｍｍのステンレス製芯材の一端側の外周面に、上記紐状体の一端を固定した状態にて、芯材を回転させて紐状体を質量を計測しながら巻き取り、所定質量になった時点で巻き取りを止めた。その後、端部を切断して、芯材から外した。
【００５９】
得られたガス発生剤成形体は、中心部に貫通孔のあるもので、直径５０ｍｍ、内径２２ｍｍ、高さ３２ｍｍ、質量３８ｇであった。目視により観察したが、外表面には凹凸が見られなかった。
【図面の簡単な説明】
【００６０】
【図１】ガス発生剤成形体及びその製造方法を説明するための斜視図。
【図２】図１に示すガス発生剤成形体の製造方法の説明図。
【図３】図１のガス発生剤成形体を用いたシングル型パイロインフレータの縦断面図。
【図４】図１のガス発生剤成形体を用いたデュアル型パイロインフレータの縦断面図。
【図５】図１のガス発生剤成形体をエンハンサ剤として用いたシングル型パイロインフレータの縦断面図。
【図６】図１のガス発生剤成形体を用いたハイブリッドインフレータの縦断面図。
【符号の説明】
【００６１】
１  ガス発生剤成形体
２  紐状体
３  貫通孔
５  巻き取り装置
６  芯材
７、８  ガイド部材
１０Ａ、１０Ｂ、１０Ｃ  ガス発生器
１００  ハイブリッドインフレータ
【図１】
2007308352.tif 000003
【図２】
2007308352.tif 000004
【図３】
2007308352.tif 000005
【図４】
2007308352.tif 000006
【図５】
2007308352.tif 000007
【図６】
2007308352.tif 000008